【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  （ｉ）リンとフルオロカーボン基との間にモノまたはポリアルキレンオキシド結合基を含むか、または（ｉｉ）リンとフルオロカーボン基との間に結合基を含まないかのいずれかである部分的にエステル化されたアリールホスフェートおよびホスホネートならびにそれらの塩からなる群から選択され、前記塩はアルカリ金属塩、アルカリ土類金属塩、アンモニウム塩およびそれらの組み合わせからなる群から選択されることを特徴とするペルフルオロポリエーテルまたはペルフルオロアルキルを含有し、かつリンを含有する化合物。
【請求項２】  式Ｉ、式II、式III、式IV、式Ｖまたは式VIを有することを特徴とする請求項１に記載の化合物。
（式Ｉ）［Ｒｆ−Ｙ−］(2-x)−Ｐ（Ｅ）−［ＯbＣ6Ｒ5］［ＯＭ］x、
（式II）［Ｒｆ′−Ｙ−］(2-x)−Ｐ（Ｅ）−［ＯbＣ6Ｒ5］［ＯＭ］x、
（式III）［ＭＯ］x［Ｃ6Ｒ5Ｏb］−Ｐ（Ｅ）−Ｙ−Ｒｆ″−Ｙ−Ｐ（Ｅ）−［ＯbＣ6Ｒ5］(2-x)［ＯＭ］x
（式IV）［Ｒｆ−］(2-x)−Ｐ（Ｅ）−［Ｏb−Ｃ6Ｒ5］［ＯＭ］xと、
（式Ｖ）［Ｒｆ′−］(2-x)−Ｐ（Ｅ）−［Ｏb−Ｃ6Ｒ5］［ＯＭ］xと、
（式VI）［ＭＯ］x［Ｃ6Ｒ5Ｏb］(2-x)−Ｐ（Ｅ）−Ｒｆ″−Ｐ（Ｅ）−［ＯbＣ6Ｒ5］(2-x)［ＯＭ］x
（式中、Ｙは（ＣＨ2）zＯ（ＣＨ2ＣＨ2Ｏ）z′であって、ｚは１から４であり、かつｚ′は０、１または２であり、
ｘは０．０５から１であり、
Ｅは酸素または硫黄であり、
ｂは０または１であり、
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｍは水素、アルカリ金属、アルカリ土類金属、またはアンモニウムであり、
Ｒｆは、
（ａ）  Ｊ−Ｏ−（ＣＦ（ＣＦ3）ＣＦ2Ｏ）c−（ＣＦＸＯ）d−ＣＦＺ−
（式中、Ｊは、−ＣＦ3、−Ｃ2Ｆ5、−Ｃ3Ｆ7、−ＣＦ2Ｃｌ、−Ｃ2Ｆ4Ｃｌ、および−Ｃ3Ｆ6Ｃｌからなる群から選択されたフルオロアルキル基であり、
Ｘは、−Ｆまたは−ＣＦ3であり、
Ｚは、−Ｆ、−Ｃｌまたは−ＣＦ3であり、
ｃおよびｄは、ｃ／ｄ比が０．０１から０．５の範囲で、分子量が４００から１５，０００の範囲であるような数である）と、
（ｂ）  Ｊ1−Ｏ−（ＣＦ2ＣＦ2Ｏ）e−（ＣＦ2Ｏ）f−ＣＦＺ1
（式中、Ｊ1は、−ＣＦ3、−Ｃ2Ｆ5、−ＣＦ2Ｃｌ、および−Ｃ2Ｆ4Ｃｌからなる群から選択されたフルオロアルキル基であり、
Ｚ1は−Ｆまたは−Ｃｌであり、および
ｅおよびｆは、ｅ／ｆ比が０．５から２の範囲で、分子量が４００から１５，０００の範囲であるような数である）と、
（ｃ）  Ｊ−（ＣＦ（ＣＦ3）ＣＦ2Ｏ）g−（ＣＦ2ＣＦ2Ｏ）h−（ＣＦＸ−Ｏ）i−ＣＦＺ−
（式中、ＪおよびＸは、前記で定義された通りであり、
Ｚは、−Ｆ、−Ｃｌまたは−ＣＦ3であり、
ｇ、ｈおよびｉは、（ｇ＋ｈ）が１から５０の範囲で、ｉ／（ｇ＋ｈ）比が０．１から０．０５の範囲で、分子量が４００から１５，０００であるような数である）と、
（ｄ）  Ｊ2−Ｏ−（ＣＦ（ＣＦ3）ＣＦ2Ｏ）j−ＣＦ（ＣＦ3）−
（式中、Ｊ2は、−Ｃ2Ｆ5または−Ｃ3Ｆ7であり、および
ｊは、分子量が４００から１５，０００の範囲であるような数である）と、
（ｅ）  Ｊ3−Ｏ−（ＣＱＺ2−ＣＦ2ＣＦ2−Ｏ）k−ＣＱＺ2−ＣＦ2−
（式中、Ｊ3は、−ＣＦ3、−Ｃ2Ｆ5および−Ｃ3Ｆ7からなる群から選択され、
ＱおよびＺ2は、同一であるか異なっており、Ｆ、ＣｌまたはＨであり、
ｋは、分子量が４００から１５，０００の範囲であるような数である）と、
（ｆ）  Ｊ4−Ｏ−（ＣＦ2ＣＦ2Ｏ）l−ＣＦ2−
（式中、Ｊ4は−ＣＦ3、または−Ｃ2Ｆ5であり、
ｌは、分子量が４００から１５，０００の範囲であるような数である）と
から成る群から選択される繰り返し単位から構成される４００から１５，０００の範囲の分子量を有するポリエーテル鎖であるか、または
Ｒｆ′は、Ｚ2−（ＣＦ2）m−
（式中、Ｚ2はＨ、ＦまたはＣｌであり、
ｍは、２から２０の値を有し、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される）
である。））
【請求項３】  部分的にエステル化されたアリールホスフェートは、式XIIを有する、リンとフルオロカーボン基との間にアリール基を有する部分的にエステル化されたアリールホスフェートの塩であって、前記塩はアルカリ金属塩、アルカリ土類金属塩、アンモニウム塩およびそれらの組み合わせからなる群から選択されることを特徴とする請求項１に記載の化合物。
（式XII）［Ｒｆ″′−Ｃ6Ｒ4−Ｏ］(3-u-w)−Ｐ（Ｅ）−［Ｏb−Ｃ6Ｒ′5］w［ＯＭ′］u
［式中、Ｒｆ″′は、Ｒｆ′またはＲｆ″であり、
Ｍ′はアルカリ金属、アルカリ土類金属、またはアンモニウムであり、
ｕおよびｗは同一であるかまたは異なって、０と１の間であり、
Ｒ′はアリール基であり、
Ｅは酸素または硫黄であり、
ｂは０または１であり、
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｒｆ′は、Ｚ2−（ＣＦ2）m−
（式中、Ｚ2はＨ、ＦまたはＣｌであり、
ｍは、２から２０の値を有し、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される。］
【請求項４】  リンとペルフルオロエーテル基との間にモノまたはポリアルキレンオキシド結合基を含むアリールホスファイトまたはホスフェートであることを特徴とするペルフルオロエーテルまたはペルフルオロアルキルを含有し、かつリンを含有する非対称化合物。
【請求項５】  式VII、式VIII、式IXまたは式XIを有することを特徴とする請求項４に記載の化合物。
（式VII）［Ｒｆ−Ｙ−］(3-y)−Ｐ（Ｅ）a−［Ｏ−Ｃ6Ｒ5］y、
（式VIII）（Ｃ6Ｒ5Ｏ）2−Ｐ（Ｅ）a−Ｙ−Ｒｆ″−Ｙ−Ｐ（Ｅ）a−（ＯＣ6Ｒ5）2、
（式IX）［Ｒｆ］(3-y)−Ｐ（Ｅ）a−［ＯbＣ6Ｒ5］y、
（式XI）［Ｃ6Ｒ5Ｏb］2−Ｐ（Ｅ）a−Ｒｆ″−Ｐ（Ｅ）a−［Ｏ−Ｃ6Ｒ5］2
［式中、ｙは０．０５から２であり、
ａは０または１であり、
Ｙは（ＣＨ2）zＯ（ＣＨ2ＣＨ2Ｏ）z′であって、ｚは１から４であり、かつｚ′は０、１または２であり、
Ｅは酸素または硫黄であり、
ｂは０または１であり、および
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｒｆは、
（ａ）  Ｊ−Ｏ−（ＣＦ（ＣＦ3）ＣＦ2Ｏ）c−（ＣＦＸＯ）d−ＣＦＺ−
（式中、Ｊは、−ＣＦ3、−Ｃ2Ｆ5、−Ｃ3Ｆ7、−ＣＦ2Ｃｌ、−Ｃ2Ｆ4Ｃｌ、および−Ｃ3Ｆ6Ｃｌからなる群から選択されたフルオロアルキル基であり、
Ｘは、−Ｆまたは−ＣＦ3であり、
Ｚは、−Ｆ、−Ｃｌまたは−ＣＦ3であり、
ｃおよびｄは、ｃ／ｄ比が０．０１から０．５の範囲で、分子量が４００から１５，０００の範囲であるような数である）と、
（ｂ）  Ｊ1−Ｏ−（ＣＦ2ＣＦ2Ｏ）e−（ＣＦ2Ｏ）f−ＣＦＺ1
（式中、Ｊ1は、−ＣＦ3、−Ｃ2Ｆ5、−ＣＦ2Ｃｌ、および−Ｃ2Ｆ4Ｃｌからなる群から選択されたフルオロアルキル基であり、
Ｚ1は−Ｆまたは−Ｃｌであり、および
ｅおよびｆは、ｅ／ｆ比が０．５から２の範囲で、分子量が４００から１５，０００の範囲であるような数である）と、
（ｃ）  Ｊ−（ＣＦ（ＣＦ3）ＣＦ2Ｏ）g−（ＣＦ2ＣＦ2Ｏ）h−（ＣＦＸ−Ｏ）i−ＣＦＺ−
（式中、ＪおよびＸは、前記で定義された通りであり、
Ｚは、−Ｆ、−Ｃｌまたは−ＣＦ3であり、
ｇ、ｈおよびｉは、（ｇ＋ｈ）が１から５０の範囲で、ｉ／（ｇ＋ｈ）比が０．１から０．０５の範囲で、分子量が４００から１５，０００であるような数である）と、
（ｄ）  Ｊ2−Ｏ−（ＣＦ（ＣＦ3）ＣＦ2Ｏ）j−ＣＦ（ＣＦ3）−
（式中、Ｊ2は、−Ｃ2Ｆ5または−Ｃ3Ｆ7であり、および
ｊは、分子量が４００から１５，０００の範囲であるような数である）と、
（ｅ）  Ｊ3−Ｏ−（ＣＱＺ2−ＣＦ2ＣＦ2−Ｏ）k−ＣＱＺ2−ＣＦ2−
（式中、Ｊ3は、−ＣＦ3、−Ｃ2Ｆ5および−Ｃ3Ｆ7からなる群から選択され、
ＱおよびＺ2は、同一であるか異なっており、Ｆ、ＣｌまたはＨであり、
ｋは、分子量が４００から１５，０００の範囲であるような数である）と、
（ｆ）  Ｊ4−Ｏ−（ＣＦ2ＣＦ2Ｏ）l−ＣＦ2−
（式中、Ｊ4は−ＣＦ3、または−Ｃ2Ｆ5であり、
ｌは、分子量が４００から１５，０００の範囲であるような数である）と
から成る群から選択される繰り返し単位から構成される４００から１５，０００の範囲の分子量を有するポリエーテル鎖であるか、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される。］
【請求項６】  Ａ．（ｉ）リンとフルオロカーボン基との間にモノまたはポリアルキレンオキシド結合基を含むか、または（ｉｉ）リンとフルオロカーボン基との間に結合基を含まないかのいずれかである部分的にエステル化されたアリールホスフェートおよびホスホネートならびにそれらの塩からなる群から選択されるペルフルオロエーテルまたはペルフルオロアルキルを含有し、かつリンを含有する化合物と、
Ｂ．（ｉ）リンとペルフルオロエーテル基との間にモノまたはポリアルキレンオキシド結合基を含むアリールホスファイトまたはホスフェート、または（ｉｉ）リンとフルオロカーボン基との間に結合基を有さないアリールホスフィン、ホスフィナイト、ホスホナイト、ホスフィンオキシド、ホスフィネート、またはホスホネート、のいずれかである、ペルフルオロエーテルまたはペルフルオロアルキルを含有し、かつリンを含有する非対称化合物と、
それらの組み合わせとからなる群から選択されるアリールリン化合物を０．１から１０重量％含み、前記塩はアルカリ金属塩、アルカリ土類金属塩、アンモニウム塩およびそれらの組み合わせからなるからなる群から選択されることを特徴とするペルフルオロエーテル油またはグリース組成物。
【請求項７】  （ｉ）リンとフルオロカーボン基との間にモノまたはポリアルキレンオキシド結合基を含むか、または（ｉｉ）リンとフルオロカーボンとの間に結合基を含まないかのいずれかである、少なくとも１つの部分的にエステル化したアリールホスフェート、アリールホスホネートまたはそれらの塩を０．１から３重量％含むことを特徴とする請求項６に記載のペルフルオロポリエーテル油またはグリース組成物。
【請求項８】  前記アリールリン化合物が、式Ｉ、式II、式III、式IV、式Ｖまたは式VIを有することを特徴とする請求項７に記載のペルフルオロポリエーテル油またはグリース組成物。
（式Ｉ）［Ｒｆ−Ｙ−］(2-x)−Ｐ（Ｅ）−［ＯbＣ6Ｒ5］［ＯＭ］x、
（式II）［Ｒｆ′−Ｙ−］(2-x)−Ｐ（Ｅ）−［ＯbＣ6Ｒ5］［ＯＭ］x、
（式III）［ＭＯ］x［Ｃ6Ｒ5Ｏb］−Ｐ（Ｅ）−Ｙ−Ｒｆ″−Ｙ−Ｐ（Ｅ）−［ＯbＣ6Ｒ5］(2-x)［ＯＭ］x
（式IV）［Ｒｆ−］(2-x)−Ｐ（Ｅ）−［Ｏb−Ｃ6Ｒ5］［ＯＭ］xと、
（式Ｖ）［Ｒｆ′−］(2-x)−Ｐ（Ｅ）−［Ｏb−Ｃ6Ｒ5］［ＯＭ］xと、
（式VI）［ＭＯ］x［Ｃ6Ｒ5Ｏb］(2-x)−Ｐ（Ｅ）−Ｒｆ″−Ｐ（Ｅ）−［ＯbＣ6Ｒ5］(2-x)［ＯＭ］x
（式中、Ｙは（ＣＨ2）zＯ（ＣＨ2ＣＨ2Ｏ）z′であって、ｚは１から４であり、かつｚ′は０、１または２であり、
ｘは０．０５から１であり、
Ｅは酸素または硫黄であり、
ｂは０または１であり、
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｍは水素、アルカリ金属、アルカリ土類金属、またはアンモニウムであり、
Ｒｆは、
（ａ）  Ｊ−Ｏ−（ＣＦ（ＣＦ3）ＣＦ2Ｏ）c−（ＣＦＸＯ）d−ＣＦＺ−
（式中、Ｊは、−ＣＦ3、−Ｃ2Ｆ5、−Ｃ3Ｆ7、−ＣＦ2Ｃｌ、−Ｃ2Ｆ4Ｃｌ、および−Ｃ3Ｆ6Ｃｌからなる群から選択されたフルオロアルキル基であり、
Ｘは、−Ｆまたは−ＣＦ3であり、
Ｚは、−Ｆ、−Ｃｌまたは−ＣＦ3であり、
ｃおよびｄは、ｃ／ｄ比が０．０１から０．５の範囲で、分子量が４００から１５，０００の範囲であるような数である）と、
（ｂ）  Ｊ1−Ｏ−（ＣＦ2ＣＦ2Ｏ）e−（ＣＦ2Ｏ）f−ＣＦＺ1
（式中、Ｊ1は、−ＣＦ3、−Ｃ2Ｆ5、−ＣＦ2Ｃｌ、および−Ｃ2Ｆ4Ｃｌからなる群から選択されたフルオロアルキル基であり、
Ｚ1は−Ｆまたは−Ｃｌであり、および
ｅおよびｆは、ｅ／ｆ比が０．５から２の範囲で、分子量が４００から１５，０００の範囲であるような数である）と、
（ｃ）  Ｊ−（ＣＦ（ＣＦ3）ＣＦ2Ｏ）g−（ＣＦ2ＣＦ2Ｏ）h−（ＣＦＸ−Ｏ）i−ＣＦＺ−
（式中、ＪおよびＸは、前記で定義された通りであり、
Ｚは、−Ｆ、−Ｃｌまたは−ＣＦ3であり、
ｇ、ｈおよびｉは、（ｇ＋ｈ）が１から５０の範囲で、ｉ／（ｇ＋ｈ）比が０．１から０．０５の範囲で、分子量が４００から１５，０００であるような数である）と、
（ｄ）  Ｊ2−Ｏ−（ＣＦ（ＣＦ3）ＣＦ2Ｏ）j−ＣＦ（ＣＦ3）−
（式中、Ｊ2は、−Ｃ2Ｆ5または−Ｃ3Ｆ7であり、および
ｊは、分子量が４００から１５，０００の範囲であるような数である）と、
（ｅ）  Ｊ3−Ｏ−（ＣＱＺ2−ＣＦ2ＣＦ2−Ｏ）k−ＣＱＺ2−ＣＦ2−
（式中、Ｊ3は、−ＣＦ3、−Ｃ2Ｆ5および−Ｃ3Ｆ7からなる群から選択され、
ＱおよびＺ2は、同一であるか異なっており、Ｆ、ＣｌまたはＨであり、
ｋは、分子量が４００から１５，０００の範囲であるような数である）と、
（ｆ）  Ｊ4−Ｏ−（ＣＦ2ＣＦ2Ｏ）l−ＣＦ2−
（式中、Ｊ4は−ＣＦ3、または−Ｃ2Ｆ5であり、
ｌは、分子量が４００から１５，０００の範囲であるような数である）と
から成る群から選択される繰り返し単位から構成される４００から１５，０００の範囲の分子量を有するポリエーテル鎖であり、または
Ｒｆ′は、Ｚ2−（ＣＦ2）m−
（式中、Ｚ2はＨ、ＦまたはＣｌであり、
ｍは、２から２０の値を有し、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される）
である。））
【請求項９】  リンとフルオロカーボン基との間にアリール基を有する少なくとも１つの部分的にエステル化されたアリールホスフェートの塩を０．１から３重量％含み、前記アリールリン化合物が式XIIを有することを特徴とする請求項６に記載のペルフルオロポリエーテル油またはグリース組成物。
（式XII）［Ｒｆ″′−Ｃ6Ｒ4−Ｏ］(3-u-w)−Ｐ（Ｅ）−［Ｏb−Ｃ6Ｒ′5］w［ＯＭ′］u
［式中、Ｒｆ″′は、Ｒｆ′またはＲｆ″であり、
Ｍ′はアルカリ金属、アルカリ土類金属、またはアンモニウムであり、
ｕおよびｗは同一であるかまたは異なって、０と１の間であり、
Ｒ′はアリール基であり、
Ｅは酸素または硫黄であり、
ｂは０または１であり、
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｒｆ′は、Ｚ2−（ＣＦ2）m−
（式中、Ｚ2はＨ、ＦまたはＣｌであり、
ｍは、２から２０の値を有し、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される。］
【請求項１０】  （ｉ）リンとペルフルオロエーテル基との間にモノまたはポリアルキレンオキシド結合基を含むアリールホスファイトまたはホスフェート、または（ｉｉ）リンとフルオロカーボン基との間に結合基を含まないアリールホスフィン、ホスフィナイト、ホスホナイト、ホスフィンオキシド、ホスフィネート、またはホスホネート、のいずれかである少なくとも１つのペルフルオロエーテルまたはペルフルオロアルキルを含有する非対称化合物を０．１から３重量％含むことを特徴とする請求項６に記載のペルフルオロポリエーテル油またはグリース組成物。
【請求項１１】  前記アリールリン化合物が式VII、式VIII、式IX、式Ｘまたは式XIを有することを特徴とする請求項９に記載のペルフルオロポリエーテル油またはグリース組成物。
（式VII）［Ｒｆ−Ｙ−］(3-y)−Ｐ（Ｅ）a−［Ｏ−Ｃ6Ｒ5］y、
（式VIII）（Ｃ6Ｒ5Ｏ）2−Ｐ（Ｅ）a−Ｙ−Ｒｆ″−Ｙ−Ｐ（Ｅ）a−（ＯＣ6Ｒ5）2、
（式Ｘ）［Ｒｆ′］(3-y)−Ｐ（Ｅ）a−［ＯbＣ6Ｒ5］y、
（式IX）［Ｒｆ］(3-y)−Ｐ（Ｅ）a−［ＯbＣ6Ｒ5］y、
（式XI）［Ｃ6Ｒ5Ｏb］2−Ｐ（Ｅ）a−Ｒｆ″−Ｐ（Ｅ）a−［Ｏ−Ｃ6Ｒ5］2
［式中、ｙは０．０５から２であり、
ａは０または１であり、
Ｙは（ＣＨ2）zＯ（ＣＨ2ＣＨ2Ｏ）z′であって、ｚは１から４であり、かつｚ′は０、１または２であり、
Ｅは酸素または硫黄であり、
ｂは０または１であり、
Ｒは水素、ハロゲン、アルキル、アリール、ニトロ、シアノ、アルコキシ、１級および２級アミノ、スルホニル、カルボキシル、またはフェノキシから選択された同一または異なった置換基であり、
Ｒｆは、
（ａ）  Ｊ−Ｏ−（ＣＦ（ＣＦ3）ＣＦ2Ｏ）c−（ＣＦＸＯ）d−ＣＦＺ−
（式中、Ｊは、−ＣＦ3、−Ｃ2Ｆ5、−Ｃ3Ｆ7、−ＣＦ2Ｃｌ、−Ｃ2Ｆ4Ｃｌ、および−Ｃ3Ｆ6Ｃｌからなる群から選択されたフルオロアルキル基であり、
Ｘは、−Ｆまたは−ＣＦ3であり、
Ｚは、−Ｆ、−Ｃｌまたは−ＣＦ3であり、
ｃおよびｄは、ｃ／ｄ比が０．０１から０．５の範囲で、分子量が４００から１５，０００の範囲であるような数である）と、
（ｂ）  Ｊ1−Ｏ−（ＣＦ2ＣＦ2Ｏ）e−（ＣＦ2Ｏ）f−ＣＦＺ1
（式中、Ｊ1は、−ＣＦ3、−Ｃ2Ｆ5、−ＣＦ2Ｃｌ、および−Ｃ2Ｆ4Ｃｌからなる群から選択されたフルオロアルキル基であり、
Ｚ1は−Ｆまたは−Ｃｌであり、および
ｅおよびｆは、ｅ／ｆ比が０．５から２の範囲で、分子量が４００から１５，０００の範囲であるような数である）と、
（ｃ）  Ｊ−（ＣＦ（ＣＦ3）ＣＦ2Ｏ）g−（ＣＦ2ＣＦ2Ｏ）h−（ＣＦＸ−Ｏ）i−ＣＦＺ−
（式中、ＪおよびＸは、前記で定義された通りであり、
Ｚは、−Ｆ、−Ｃｌまたは−ＣＦ3であり、
ｇ、ｈおよびｉは、（ｇ＋ｈ）が１から５０の範囲で、ｉ／（ｇ＋ｈ）比が０．１から０．０５の範囲で、分子量が４００から１５，０００であるような数である）と、
（ｄ）  Ｊ2−Ｏ−（ＣＦ（ＣＦ3）ＣＦ2Ｏ）j−ＣＦ（ＣＦ3）−
（式中、Ｊ2は、−Ｃ2Ｆ5または−Ｃ3Ｆ7であり、および
ｊは、分子量が４００から１５，０００の範囲であるような数である）と、
（ｅ）  Ｊ3−Ｏ−（ＣＱＺ2−ＣＦ2ＣＦ2−Ｏ）k−ＣＱＺ2−ＣＦ2−
（式中、Ｊ3は、−ＣＦ3、−Ｃ2Ｆ5および−Ｃ3Ｆ7からなる群から選択され、
ＱおよびＺ2は、同一であるか異なっており、Ｆ、ＣｌまたはＨであり、
ｋは、分子量が４００から１５，０００の範囲であるような数である）と、
（ｆ）  Ｊ4−Ｏ−（ＣＦ2ＣＦ2Ｏ）l−ＣＦ2−
（式中、Ｊ4は−ＣＦ3、または−Ｃ2Ｆ5であり、
ｌは、分子量が４００から１５，０００の範囲であるような数である）と
から成る群から選択される繰り返し単位から構成される４００から１５，０００の範囲の分子量を有するポリエーテル鎖であり、
Ｒｆ′は、Ｚ2−（ＣＦ2）m−
（式中、Ｚ2はＨ、ＦまたはＣｌであり、
ｍは、２から２０の値を有し、または
Ｒｆ″は、数平均分子量５００から１５，０００を有するペルフルオロポリエーテル鎖であって、
（ｉ）  −（ＣＦ2ＣＦ2Ｏ）n−（ＣＦ2Ｏ）O−ＣＦ2−
（式中、式Ｃ2Ｆ4ＯおよびＣＦ2Ｏを有する単位は、鎖に沿って無作為に配置され、ｎおよびｏは、ｎ／ｏ比が０．３から５の範囲である整数である）と、
（ｉｉ）  −（Ｃ3Ｆ6Ｏ）p−（ＣＦ2ＣＦ2Ｏ）q−（ＣＦＸＯ）r−ＣＦ2−
（式中、Ｘは、ＦまたはＣＦ3であり、
ｐ、ｑおよびｒは、（ｐ＋ｑ）が１から５０の範囲で、ｒ／（ｐ＋ｑ）比が０．１から０．０５の範囲で、分子量が４００から１５，０００であるような数である）と、
（ｉｉｉ）  −（（ＣＱＺ2）ＣＦ2ＣＦ2Ｏ）s−ＣＦ2−ＣＦ2−
（式中、ＱおよびＺ2は、同一であるか異なっており、Ｆ、ＣｌまたはＨであり、
ｓは、分子量が４００から１５，０００の範囲であるような数である）と
から成る群から選択される。］
【手続補正２】
【補正対象書類名】明細書
【補正対象項目名】０００９
【補正方法】変更
【補正の内容】
【０００９】
（発明の概要）
本発明は、（ｉ）ペルフルオロポリエーテルに可溶性であるかペルフルオロポリエーテルの安定な分散体を形成する、または（ｉｉ）多くの商用ペルフルオロポリエーテルグリース中に存在する亜硝酸ナトリウムと相容性のある、部分的および全体的にエステル化された新規のアリールリン化合物を提供する。この新規の化合物は、ペルフルオロポリエーテルと接触する金属に対して優れた錆および腐食耐性をもたらす。この化合物は、容易に合成され、従来の化合物中のペルフルオロアルキル置換基のいくつかをアリールおよびアリールオキシ置換基で置き換える場合比較的安価であり、より安価な置換基で従来の添加剤の望ましい機能を提供する。より詳細には、本発明は、
クラスＡ：（ｉ）リンとフルオロカーボン基との間にモノまたはポリアルキレンオキシド結合基を含むか、または（ｉｉ）リンとフルオロカーボン基との間に結合基を含まないかのいずれかである、部分的にエステル化されたアリールホスフェート、アリールホスホネートならびにそれらの塩からなる群から選択されるペルフルオロエーテルまたはペルフルオロアルキルを含有し、かつリンを含有する化合物と、
クラスＢ：（ｉ）リンとペルフルオロエーテル基との間にモノまたはポリアルキレンオキシド結合基を含むアリールホスファイトまたはホスフェート、または（ｉｉ）リンとフルオロカーボン基との間に結合基を有さないアリールホスフィン、ホスフィナイト、ホスホナイト、ホスフィンオキシド、ホスフィネート、またはホスホネート、のいずれかである、ペルフルオロエーテルまたはペルフルオロアルキルを含有し、かつリンを含有する非対称化合物と、
クラスＣ：リンとフルオロカーボンとの間にアリール基を有する部分的にエステル化されたアリールホスフェートの塩
を提供する。
【手続補正３】
【補正対象書類名】明細書
【補正対象項目名】００１２
【補正方法】変更
【補正の内容】
【００１２】
クラスＡ：（ｉ）リンとフルオロカーボン基との間にモノまたはポリアルキレンオキシド結合基を含むか、または（ｉｉ）リンとフルオロカーボン基との間に結合基を含まないかのいずれかである、部分的にエステル化されたアリールホスフェート、アリールホスホネートならびにそれらの塩からなる群から選択されるペルフルオロエーテルまたはペルフルオロアルキルを含有し、かつリンを含有する化合物と、
クラスＢ：（ｉ）リンとペルフルオロエーテル基との間にモノまたはポリアルキレンオキシド結合基を含むアリールホスファイトまたはホスフェート、または（ｉｉ）リンとフルオロカーボン基との間に結合基を有さないアリールホスフィン、ホスフィナイト、ホスホナイト、ホスフィンオキシド、ホスフィネート、またはホスホネート、のいずれかである、ペルフルオロエーテルまたはペルフルオロアルキルを含有し、かつリンを含有する非対称化合物と、
クラスＣ：リンとフルオロカーボンとの間にアリール基を有する部分的にエステル化されたアリールホスフェートの塩。